(57)【要約】【課題】小荷物用昇降装置において、下側出入口扉と下側のかご扉との間の隙間に荷物を落としてしまうことを防止することである。【解決手段】昇降路１２内を昇降移動する荷物用かご１４と、荷物用かご１４の出入口を開閉する一対のかご扉部３８と、荷物用かご１４の着床時に開閉される一対の出入口扉２８と、下側のかご扉４２ｂと、下側の出入口扉３０ｂとの間の間隙５９を塞ぐ塞ぎ装置５０と、を備え、塞ぎ装置５０は、下側のかご扉４２ｂの内側に接続される接続部５２と、接続部５２から荷物用かご１４内に向かって傾斜して延びる摺動部５４と、摺動部５４の先端部に連結され、一対の出入口扉２８側に向かって延び、摺動部５４が垂直状態となったときに間隙５９を塞ぐ塞ぎ部５６と、を含む。【選択図】図５
2015227240.tif 000002
【特許請求の範囲】
【請求項１】
昇降路内を昇降移動する荷物用かごと、
互いに離間又は接触するように上下方向に移動して前記荷物用かごの出入口を開閉する一対のかご扉と、
前記昇降路に通じる出入口に設けられ、前記荷物用かごの着床時に前記昇降路の外部から前記荷物用かご内に荷物を載せるため又は前記荷物用かご内から前記荷物を取り出すために開かれる一対の出入口扉であって、互いに離間又は接触するように上下方向に移動する一対の出入口扉と、
前記一対のかご扉における下側のかご扉と、前記一対の出入口扉における下側出入口扉との間の間隙を塞ぐ塞ぎ装置と、
を備え、
前記塞ぎ装置は、
下部に設けられ前記下側のかご扉の内側に接続される接続部と、
前記接続部から前記荷物用かご内の内側方向であって上方に向かって傾斜して延び、前記下側のかご扉が開かれるときに前記荷物用かごの前記下側のかご扉に近接する部分に対し接触摺動することで押圧されて傾斜状態から垂直状態へと移行する摺動部と、
前記摺動部の先端部に連結され、前記荷物用かご内の前記出入口扉側方向であって上方に向かって延び、前記摺動部が垂直状態となったときには前記下側のかご扉の上方を前記下側出入口扉まで延びて前記間隙を塞ぐ塞ぎ部と、
前記摺動部が押圧されていない場合に、前記摺動部を傾斜状態に戻すように付勢する付勢手段と、
を含むことを特徴とする小荷物用昇降装置。
【請求項２】
請求項１に記載の小荷物用昇降装置において、
前記付勢手段は、前記摺動部が前記垂直状態から前記傾斜状態へと復元する方向に力が働く弾性力を有する材料とすることで構成されていることを特徴とする小荷物用昇降装置。
【請求項３】
請求項１または請求項２に記載の小荷物用昇降装置において、
前記付勢手段は、前記摺動部に対し前記垂直状態から前記傾斜状態へと復元する方向に力を与える付勢部材を備えることを特徴とする小荷物用昇降装置。
【請求項４】
請求項１〜３のいずれか１つに記載の小荷物用昇降装置において、
前記荷物用かごの前記下側のかご扉に近接する部分は、前記荷物かごの床面の前記下側かご側端部であることを特徴とする小荷物用昇降装置。
【発明の詳細な説明】
【技術分野】
【０００１】
本発明は、小荷物用昇降装置に関する。
【背景技術】
【０００２】
従来、昇降路内を昇降移動する荷物用かごを備える小荷物用昇降装置が知られている。この小荷物用昇降装置では、荷物用かごの荷物出入口を開閉するかご扉と、通常建物側に設けられ昇降路と通じる開口（出し入れ口）を開閉する出入口扉の２つを有している。従って、荷物用かごの着床時には、２つの扉を開けて、荷物を出し入れする。
【０００３】
本発明に関連する技術として、例えば、特許文献１には、荷物用かごの出入口を開閉可能に覆う扉として、上下方向に分割された上扉及び下扉を有し、この上扉及び下扉を連動して開閉させるものが開示されている。
【先行技術文献】
【特許文献】
【０００４】
【特許文献１】特開２００８−４４７２５号公報
【発明の概要】
【発明が解決しようとする課題】
【０００５】
小荷物用昇降装置では、上記２つの扉を開いて荷物用かご内に荷物を出し入れする際に、建物側の出入口扉とかご扉との間の隙間に荷物を落としてしまうことがある。
【０００６】
本発明の目的は、出入口扉とかご扉との間の隙間に荷物を落としてしまうことを防止する小荷物用昇降装置を提供することである。
【課題を解決するための手段】
【０００７】
本発明に係る小荷物用昇降装置は、昇降路内を昇降移動する荷物用かごと、互いに離間又は接触するように上下方向に移動して前記荷物用かごの出入口を開閉する一対のかご扉と、前記昇降路に通じる出入口に設けられ、前記荷物用かごの着床時に前記昇降路の外部から前記荷物用かご内に荷物を載せるため又は前記荷物用かご内から前記荷物を取り出すために開かれる一対の出入口扉であって、互いに離間又は接触するように上下方向に移動する一対の出入口扉と、前記一対のかご扉における下側のかご扉と、前記一対の出入口扉における下側出入口扉との間の間隙を塞ぐ塞ぎ装置と、を備え、前記塞ぎ装置は、下部に設けられ前記下側のかご扉の内側に接続される接続部と、前記接続部から前記荷物用かご内の内側方向であって上方に向かって傾斜して延び、前記下側のかご扉が開かれるときに前記荷物用かごの前記下側のかご扉に近接する部分に対し接触摺動することで押圧されて傾斜状態から垂直状態へと移行する摺動部と、前記摺動部の先端部に連結され、前記荷物用かご内の前記出入口扉側方向であって上方に向かって延び、前記摺動部が垂直状態となったときには前記下側のかご扉の上方を前記下側出入口扉まで延びて前記間隙を塞ぐ塞ぎ部と、前記摺動部が押圧されていない場合に、前記摺動部を傾斜状態に戻すように付勢する付勢手段と、を含むことを特徴とする。
【０００８】
また、本発明に係る小荷物用昇降装置において、前記付勢手段は、前記摺動部が前記垂直状態から前記傾斜状態へと復元する方向に力が働く弾性力を有する材料とすることで構成されていることが好ましい。
【０００９】
また、本発明に係る小荷物用昇降装置において、前記付勢手段は、前記摺動部に対し前記垂直状態から前記傾斜状態へと復元する方向に力を与える付勢部材を備えることが好ましい。
【００１０】
また、本発明に係る小荷物用昇降装置において、前記荷物用かごの前記下側のかご扉に近接する部分は、前記荷物かごの床面の前記下側かご側端部であることが好ましい。
【発明の効果】
【００１１】
上記構成によれば、一対のかご扉の下側のかご扉が開かれたときに、この下側のかご扉と一対の出入口扉の下側出入口扉との間の間隙が塞ぎ装置によって塞がれる。これにより、下側出入口扉と下側のかご扉との間の隙間に荷物を落としてしまうことを防止することができる。
【図面の簡単な説明】
【００１２】
【図１】本発明に係る実施形態の小荷物用昇降機の構成図である。
【図２】本発明に係る実施形態の小荷物用昇降機の小荷物の乗場の斜視図である。
【図３】本発明に係る実施形態の小荷物用昇降機において、かご扉の上下移動の機構を示す図である。
【図４】本発明に係る実施形態の小荷物用昇降機の塞ぎ装置の斜視図である。
【図５】本発明に係る実施形態の小荷物用昇降機の塞ぎ装置を下側のかご扉に取り付けた側面図である。
【図６】本発明に係る実施形態の小荷物用昇降機の下側のかご扉の変形例を示す図である。
【図７】本発明に係る実施形態の小荷物用昇降機において、出入口扉を開いた様子を示す図である。
【図８】本発明に係る実施形態の小荷物用昇降機において、下側のかご扉を開く際の塞ぎ装置の動作を示す図である。
【図９】本発明に係る実施形態の小荷物用昇降機において、下側のかご扉を開いたときの塞ぎ装置の動作を示す図である。
【図１０】本発明に係る実施形態の小荷物用昇降機の塞ぎ装置の第１変形例の斜視図である。
【図１１】本発明に係る実施形態の小荷物用昇降機の塞ぎ装置の第２変形例の側面図である。
【発明を実施するための形態】
【００１３】
以下に図面を用いて本発明に係る実施の形態につき、詳細に説明する。また、以下では、全ての図面において対応する要素には同一の符号を付し、重複する説明を省略する。
【００１４】
図１は、小荷物用昇降機１０の構成図である。図２は、小荷物用昇降機１０の小荷物を出し入れする昇降路の出入口を示す斜視図である。図３は、かご扉部３８の上下移動の機構を示す図である。図１に示されるように、建屋には各階に渡って上下に延びる昇降路１２が形成され、昇降路１２内に荷物用かご１４と釣合い錘１６とがロープ１７を介して吊り下げられている。
【００１５】
昇降路１２の上部には駆動装置としての巻上機１８、及びこの巻上機１８を制御する制御盤２０が設置されている。巻上機１８のシーブ２２にロープ１７の途中が巻き掛けられ、シーブ２２の回転でロープ１７が移動して荷物用かご１４と釣合い錘１６とが昇降路１２内で互いに逆方向に昇降移動する。制御盤２０は、巻上機１８のみならず小荷物用昇降機１０全体を制御する機能を有する。
【００１６】
建屋の各階の壁面には、昇降路１２に通じる出入口２６が形成され、これら出入口２６にそれぞれ手動式の出入口扉２８が設けられている。出入口扉２８は、上下方向に移動可能な一対の出入口扉３０ａ，３０ｂで構成される。上側の出入口扉３０ａを手で上方に引き上げると、その上側の出入口扉３０ａの移動に連動して下側の出入口扉３０ｂが下方に移動する。その後、上側の出入口扉３０ａを下方に引き下げると、下側の出入口扉３０ｂがその上側の出入口扉３０ａの移動に連動して上方に移動する。このような一対の出入口扉３０ａ，３０ｂの上下移動（離隔または接触する方向の移動）で出入口２６が開閉される構造となっている。
【００１７】
建屋の各階の出入口２６の脇には操作盤２９が設けられ、この操作盤２９にかご呼びボタン３１、行先階ボタン３２、かご位置表示パネル３４などが配設されている。かご呼びボタン３１、行先階ボタン３２、かご位置表示パネル３４は、制御盤２０に電気的に接続されている。
【００１８】
荷物用かご１４は、図３に示すように、前面に荷物出し入れ用の開口３６を有する箱形をなし、その前面に開口３６を開閉する手動式のかご扉部３８が設けられている。このかご扉部３８は、荷物用かご１４の前面に取り付けられた枠体４０と、この枠体４０の内側に上下に並んで配置された一対のかご扉４２ａ，４２ｂとを備えている。
【００１９】
枠体４０の両側の桟材はガイド部４３であり、これらガイド部４３間にかご扉４２ａ，４２ｂが配置されている。かご扉４２ａ，４２ｂの両側部にはガイドシュー４４が設けられる。ガイドシュー４４がそれぞれガイド部４３に摺動自在に嵌合し、この嵌合でかご扉４２ａ，４２ｂがガイド部４３に沿って上下に移動することが可能となっている。
【００２０】
枠体４０の上部両側には滑車４６が回転自在に取り付けられ、これら滑車４６にワイヤ４８が巻き掛けられている。これらワイヤ４８の一端側の端部は上側のかご扉４２ａの両端部に連結され、他端側の端部は下側のかご扉４２ｂにブラケット５１を介して連結されている。
【００２１】
通常時には、上側のかご扉４２ａの下端と下側のかご扉４２ｂの上端とが突き当たる閉合状態にあり、この閉合状態により荷物用かご１４の前面の開口３６が閉じられる。そして、この閉合状態から上側のかご扉４２ａを手で上方に引き上げると、ワイヤ４８の緩みで上側のかご扉４２ａに連動して下側のかご扉４２ｂが自重で下方に移動し、この移動で両かご扉４２ａ，４２ｂが互いに所定の距離だけ離間する開放状態となり、かご扉４２ｂの開口３６が開かれる。
【００２２】
また、この開放状態から上側のかご扉４２ａを下方に引き下げると、ワイヤ４８の張力でかご扉４２ａに連動して下側のかご扉４２ｂが上方に移動し、その上側のかご扉４２ａに下側のかと扉４２ｂが突き当って閉合し、荷物用かご１４の開口３６が閉じられる。
【００２３】
小荷物用昇降機１０には、下側のかご扉４２ｂと、下側の出入口扉３０ｂとの間の間隙５９を塞ぐ塞ぎ装置５０が設けられている。図４は、塞ぎ装置５０の斜視図である。図５は、塞ぎ装置５０を下側のかご扉４２ｂに取り付けた側面図である。
【００２４】
塞ぎ装置５０は、下部に設けられ下側のかご扉４２ｂの内側に接続される接続部５２と、接続部５２から荷物用かご１４の内側上方に向かって傾斜して延びる摺動部５４と、摺動部５４の先端部に連結され出入口扉２８側に向かって延びる塞ぎ部５６とを備える板バネである。
【００２５】
接続部５２は、長方形の板材であり、長手方向に沿って複数の貫通孔５３が形成されている。この貫通孔５３を介してビス等の締結部材５５が締めつけられることで接続部５２が下側のかご扉４２ｂの内面に接続される。接続部５２は、板バネを構成する材料、例えば、ステンレス鋼で構成される。
【００２６】
摺動部５４は、下側のかご扉４２ｂの内側の面とのなす角度がθ1（θ1は鋭角（図においては６０°程度））となるように接続部５２に連結される。摺動部５４は、接続部５２から荷物用かご１４内に向かって傾斜して延びており、下側のかご扉４２ｂが開かれたときに荷物用かご１４の下側のかご扉４２ｂ側の端部に接触摺動することで押圧されて傾斜状態から垂直状態へと移行する。摺動部５４は、接続部５２と同様に、ステンレス鋼で構成される。
なお、摺動部５４と接触する部分は、図６（ａ）に示されるように、摺動部５４を痛めないように面取りするとよい。また、図６（ｂ）に示されるように、摺動部５４と接触する部分に、回転可能な複数の従動輪を設けたり、多数のボールを埋め込んでボールベアリングと同様の構成を採ることも好適である。さらに、図６（ｃ）に示されるように、上下方向の位置を床面から若干ずらした部分を摺動部５４と接触させてもよい。
【００２７】
塞ぎ部５６は、摺動部５４とのなす角度がθ2（θ2は略９０°）となるように摺動部５４の先端部に連結される。塞ぎ部５６は、出入口扉２８側および上方に向かって延びており、摺動部５４が垂直状態となったときに間隙５９側に移動し、ほぼ水平方向に位置して間隙５９を塞ぐ。塞ぎ部５６は、接続部５２と同様に、ステンレス鋼で構成される。
【００２８】
続いて、上記構成の小荷物用昇降機１０の作用について説明する。建屋において、作業者が着床した荷物用かご１４から荷物を取り出す場合、図７に示されるように、作業者は最初に手前側に存在する上側の出入口扉３０ａを上方に引き上げて、これに連動して下側の出入口扉３０ｂを下方に移動させる。
【００２９】
その後、奥側に存在する上側のかご扉４２ａを上方に引き上げて、これに連動して下側のかご扉４２ｂを下方へと移動させる。このとき、図８に示されるように、塞ぎ装置５０の摺動部５４が荷物用かご１４の床面に押圧されつつ摺動されて傾斜状態から垂直状態へと移行する。このとき塞ぎ部５６は、傾斜状態から水平状態へと移行し、図９に示されるように、下側のかご扉４２ｂと下側の出入口扉３０ｂとに跨って間隙５９を塞ぐ。これにより、荷物用かご１４に乗せられた荷物６３が例えば書類等のように間隙５９に入り込んでしまうような大きなものであった場合にも間隙５９へ落としてしまうことを防止することができる。
【００３０】
次に、塞ぎ装置５０の第１変形例である塞ぎ装置６０について説明する。図１０は、塞ぎ装置６０の斜視図である。塞ぎ装置６０は、塞ぎ装置５０のようにビス等の締結部材５５の代わりに接着剤を用いて下側のかご扉４２ｂに接続される点で塞ぎ装置５０と相違するが、その他の構成は塞ぎ装置５０と同じである。したがって、塞ぎ装置５０を用いた場合も下側の出入口扉３０ｂが下方に移動した場合に間隙５９を塞ぐ。なお、塞ぎ装置６０の接続部５２の表面の接着領域６１には、接着剤が付着されて接続部５２を下側のかご扉４２ｂに接続する。
【００３１】
さらに、塞ぎ装置５０の第２変形例である塞ぎ装置７０について説明する。図１０は、塞ぎ装置７０の側面図である。塞ぎ装置７０は、摺動部７２、塞ぎ部７４、伸縮部７６、付勢部７８及び回転軸７９を備える。塞ぎ部７４は、塞ぎ装置５０の塞ぎ部５６と同様であり、回転軸７９が塞ぎ装置７０の下側のかご扉４２ｂとの接続部となる。回転軸７９は、摺動部７２を矢印Ａ方向又は矢印Ａ方向と反対方向に回転させるための軸として機能する。伸縮部７６は、下側のかご扉４２ｂの内側面と摺動部７２の表面とを接続し、伸縮可能な材質、例えば、ゴムで構成される接続部材である。付勢部７８は、伸縮部７６の周りを巻回されたコイルばねであり、摺動部５４に対して矢印Ａ方向への力を加える。したがって、塞ぎ装置５０を用いた場合も下側の出入口扉３０ｂが下方に移動した場合に間隙５９を塞ぐ。なお、伸縮部７６も摺動部７２を矢印Ａ方向に付勢する部材として機能するため、いずれかを省略してもよい。図１１に示される伸縮部７６と同様の形状の部材を剛性を有するコイルばねのガイドとして形成し、摺動部５４にこのガイドを通過させ、コイルばねを支持する構成とすることも好適である。
さらに付勢部７８として、Ｕ字型の板バネを採用することも好適である。さらに、必要な場合に摺動部に荷物化後１４の内部に向けての移動を規制するストッパを設けてもよい。さらに、付勢部７８を設けた場合、摺動部７２が垂直方向まで移動できず、塞ぎ部７４が水平にならない場合もある。この場合には、摺動部７２と塞ぎ部７４との角度を調整すればよい。
【符号の説明】
【００３２】
１０  小荷物用昇降機、１２  昇降路、１４  荷物用かご、１６  釣合い錘、１７  ロープ、１８  巻上機、２０  制御盤、２２  シーブ、２６  出入口、２８  出入口扉、２９  操作盤、３０ａ  上側の出入口扉、３０ｂ  下側の出入口扉、３１  かご呼びボタン、３２  行先階ボタン、３４  かご位置表示パネル、３６  開口、３８  かご扉部、４０  枠体、４２ａ  上側のかご扉、４２ｂ  下側のかご扉、４３  ガイド部、４４  ガイドシュー、４６  滑車、４８  ワイヤ、４９  間隙、５１  ブラケット、５０  塞ぎ装置、５２  接続部、５３  貫通孔、５４  摺動部、５５  締結部材、５６  塞ぎ部、５９  間隙、６０  塞ぎ装置、７０  塞ぎ装置、７９  回動軸。
【図１】
2015227240.tif 000003
【図２】
2015227240.tif 000004
【図３】
2015227240.tif 000005
【図４】
2015227240.tif 000006
【図５】
2015227240.tif 000007
【図６】
2015227240.tif 000008
【図７】
2015227240.tif 000009
【図８】
2015227240.tif 000010
【図９】
2015227240.tif 000011
【図１０】
2015227240.tif 000012
【図１１】
2015227240.tif 000013